(57)【特許請求の範囲】
【請求項１】
給湯設定温度を設定操作する温度操作部と給湯設定温度を表示する表示部と警報音を発する警報部とを有したリモコン装置を備え、給湯管の湯の流れから給湯開始を検出する給湯検出器を有し給湯設定温度の湯を供給する給湯装置において、給湯設定温度が高温であるかを判定する高温判定部を設け、前記表示部がオフ状態の時に、前記給湯検出器が給湯開始を検出し、かつ、前記高温判定部が給湯設定温度が高温でないと判定すると、前記リモコン装置の前記表示部のオフ状態を継続し、また、前記高温判定部が給湯設定温度が高温であると判定すると、前記リモコン装置の前記表示部をオン状態にして給湯設定温度を表示すると共に、前記リモコン装置の前記警報部から警報音を発して給湯設定温度が高温であることを警告するようにしたことを特徴とする給湯装置。
【請求項２】
給湯設定温度を設定操作する温度操作部と給湯設定温度を表示する表示部と警報音を発する警報部とを有したリモコン装置を備え、給湯管の湯の流れから給湯開始を検出する給湯検出器と実際の給湯温度を検出する温度検出器を有し給湯設定温度の湯を供給する給湯装置において、前記温度検出器が検出する実際の給湯温度が高温であるかを判定する高温判定部を設け、前記表示部がオフ状態の時に、前記給湯検出器が給湯開始を検出し、かつ、前記高温判定部が実際の給湯温度が高温でないと判定すると、前記リモコン装置の前記表示部のオフ状態を継続し、また、前記高温判定部が実際の給湯温度が高温になったと判定すると、前記リモコン装置の前記表示部をオン状態にして給湯設定温度を表示すると共に、前記リモコン装置の前記警報部から警報音を発して実際の給湯温度が高温であることを警告するようにしたことを特徴とする給湯装置。
【発明の詳細な説明】
【０００１】
【発明の属する技術分野】
本発明は、リモコン装置を備えた給湯装置に関する。
【０００２】
【従来例】
従来より、この種のものにおいては、特開平１１−２９４８４４号公報に開示されているように、給湯設定温度を設定操作可能なリモコン装置の表示オフ状態の時に、給湯栓が開かれるなどして出湯が開始されたことを検知すると、リモコン装置の表示をオン状態とするようにしたものがあった。
【０００３】
【発明が解決しようとする課題】
しかし、この従来のものでは、給湯設定温度が火傷の可能性のある温度（およそ６０℃以上）に設定されている状態で、かつ、リモコン装置の表示オフ状態の時に、給湯栓を開いて出湯を開始すると、出湯開始を検出してリモコン装置の表示はオン状態になるが、給湯栓を開いたユーザーはリモコン装置の表示を見ずに高温設定になっていることに気が付かず火傷を負ってしまうおそれがあった。
【０００４】
【課題を解決するための手段】
そこで、本発明は上記課題を解決するため請求項１では、給湯設定温度を設定操作する温度操作部と給湯設定温度を表示する表示部と警報音を発する警報部とを有したリモコン装置を備え、給湯管の湯の流れから給湯開始を検出する給湯検出器を有し給湯設定温度の湯を供給する給湯装置において、給湯設定温度が高温であるかを判定する高温判定部を設け、前記表示部がオフ状態の時に、前記給湯検出器が給湯開始を検出し、かつ、前記高温判定部が給湯設定温度が高温でないと判定すると、前記リモコン装置の前記表示部のオフ状態を継続し、また、前記高温判定部が給湯設定温度が高温であると判定すると、前記リモコン装置の前記表示部をオン状態にして給湯設定温度を表示すると共に、前記リモコン装置の前記警報部から警報音を発して給湯設定温度が高温であることを警告するようにしたものである。
【０００５】
これにより、リモコン装置の表示部がオフ状態であっても、給湯検出器によって給湯開始を検出し、その時に給湯設定温度が火傷の可能性のある所定の温度以上の高温に設定されていると高温判定部が判定すると、前記リモコン装置の前記表示部をオン状態にして給湯設定温度を表示すると共に、前記リモコン装置の前記警報部から警報音を発して給湯設定温度が高温であることを警告するので、リモコン装置からの警報音によりユーザーにリモコン装置の表示部を注目させて高温出湯であることを警告でき、また、給湯設定温度が火傷の可能性のある所定の温度以下であると判定されると、表示部のオフ状態を継続して警報も発しないこととなり、不要な警報を行わずに表示部のオフ状態を継続して省電力をより促進できる。
【０００６】
また、請求項２では、給湯設定温度を設定操作する温度操作部と給湯設定温度を表示する表示部と警報音を発する警報部とを有したリモコン装置を備え、給湯管の湯の流れから給湯開始を検出する給湯検出器と実際の給湯温度を検出する温度検出器を有し給湯設定温度の湯を供給する給湯装置において、前記温度検出器が検出する実際の給湯温度が高温であるかを判定する高温判定部を設け、前記表示部がオフ状態の時に、前記給湯検出器が給湯開始を検出し、かつ、前記高温判定部が実際の給湯温度が高温でないと判定すると、前記リモコン装置の前記表示部のオフ状態を継続し、また、前記高温判定部が実際の給湯温度が高温になったと判定すると、前記リモコン装置の前記表示部をオン状態にして給湯設定温度を表示すると共に、前記リモコン装置の前記警報部から警報音を発して実際の給湯温度が高温であることを警告するようにしたものである。
【０００７】
これにより、リモコン装置の表示部がオフ状態であっても、給湯検出器によって給湯開始を検出し、その後に火傷の可能性のある所定の温度以上の高温の出湯が実際に開始されたと高温判定部が判定したら、前記リモコン装置の前記表示部をオン状態にして給湯設定温度を表示すると共に、前記リモコン装置の前記警報部から警報音を発して給湯設定温度が高温であることを警告するので、リモコン装置からの警報音によりユーザーにリモコン装置の表示部を注目させて高温出湯であることを警告でき、また、実際の給湯温度が火傷の可能性のある所定の温度以下であると判定すると、表示部のオフ状態を継続して警報も発しないこととなり、不要な警報を行わず表示部のオフ状態を継続して省電力をより促進できる。
【０００８】
【発明の実施の形態】
次に、本発明の一実施形態の給湯装置を図面に基づいて説明する。
１は貯湯タンクユニット、２は貯湯タンクユニット１内に設けられた高温の温水を貯湯する貯湯タンク、３は貯湯タンク２の温水を沸し上げるヒートポンプユニットである。
【０００９】
前記ヒートポンプユニット３は、貯湯タンク２の下部に接続されたヒーポン往き管４から貯湯タンク２の下端に貯留された冷水を高温に加熱して貯湯タンク２の上部に接続されたヒーポン戻り管５を通して貯湯タンク２の上部に戻すものである。
【００１０】
６は貯湯タンク２下端部に接続された給水管、７は貯湯タンク２上端に接続された出湯管、８は給水管６からの水と出湯管７からの高温水を給湯設定温度に混合するミキシング弁、９はミキシング弁８の流出側に接続された給湯管、１０は給湯管９の端部に設けられた混合給湯栓である。
【００１１】
１１は給湯管６を流れる温水の温度を検出する温度検出器、１２は給湯管９を流れる温水の量を検出して給湯が開始されたことを検出する給湯検出器、１３は温度検出器１１の出力を受けて給湯設定温度になるようにミキシング弁８の開度を調整する機能を有した本体制御部である。
【００１２】
前記本体制御部１３はリモコン装置１４と通信する本体通信部１５と、給湯設定温度が火傷の可能性のある所定の温度以上（およそ６０℃以上）の高温であるかを判定する高温判定部１６とを有している。なお、この高温判定部１６はリモコン装置１４に設けても良いものである。
【００１３】
前記リモコン装置１４は、給湯設定温度を設定操作する温度操作部１７と、給湯設定温度とを表示する表示部１８と、警報音を発する警報部１９と、このリモコン装置１４の動作を制御するリモコン制御部２０と、本体制御部１３と通信するリモコン通信部２１と、前記表示部１８を消灯させる表示オフ手段２２とを有している。
【００１４】
なお、前記表示部１８には給湯設定温度が火傷の可能性のある所定の温度以上（およそ６０℃以上）に設定されていることを給湯設定温度の数字とは異なる形態で表示する高温警告表示部２３が設けられている。ここでは「高温」と文字で表示するようにしているものである。
【００１５】
また、前記表示オフ手段２２はスイッチの形態で設けられており、このスイッチの操作によって表示部１８への供給電源を入り切りして点灯／消灯を切り換えるようにして、給湯装置の不使用時の消費電力を低減しようとするものである。
【００１６】
そして、混合給湯栓１０を開くと、給水管６から冷水が貯湯タンク２内に流入し、貯湯タンク２上部の高温水が出湯管７へ押し出される。そして出湯管７からの高温水と給水管６からの低温水がミキシング弁８で給湯設定温度に混合され、混合給湯栓１０から給湯されるものである。
【００１７】
次に、この一実施形態の給湯装置の特徴的な作動について図２のフローチャートに基づいて説明する。
先ず、前記表示オフ手段２１によってリモコン装置１４の表示部１８の電源が遮断されていてオフ状態（消灯状態）になっているかを確認する（ステップ１、以下Ｓ１と略す）。
【００１８】
表示部１８がオフ状態である時に、ユーザー等によって前記混合給湯栓１０が開かれて前記給湯検出器１２で給湯が開始されたことを検出すると（Ｓ２）、前記高温判定部１６にて給湯設定温度が火傷の可能性のある所定の温度以上（およそ６０℃以上）の高温に設定されているかどうかを判定する（Ｓ３）。
【００１９】
高温判定部１６が給湯設定温度が高温に設定されていると判定すると（Ｓ３でＹ）、リモコン装置１４の表示部１８に電源を供給してオン状態（点灯状態）にして給湯設定温度を目視可能なように表示すると共に（Ｓ４）、リモコン装置１４の警報部１９から例えば「ピー・ピー・ピー」といったブザー音による警報音を発して混合給湯栓１０から高温の湯が出ることを警告する（Ｓ５）。
【００２０】
また、警報音が出力されるとほぼ同時に、前記リモコン装置１４の表示部１８では、高温警告表示部２３の一定時間点滅を行うようにしている（Ｓ６）。
【００２１】
このように、リモコン装置１４の表示部１８が表示オフ状態の時に、混合給湯栓１０から高温の湯が出る場合には、表示部１８をオン状態にして給湯設定温度を目視可能にすると共に、リモコン装置１４の警報部１９から警報音を発するようにしているので、自然とユーザーの注意を喚起して、音の発せられたリモコン装置１４に視線を向ければ給湯設定温度が高温であること確認でき、不意の高温出湯による火傷の危険を防止することができ、ユーザーに安心感を与えることができる。
【００２２】
ここで、前記Ｓ３のステップで高温判定部１６で給湯設定温度が火傷の可能性のある所定の温度（およそ６０℃）以下であると判定されると、前記Ｓ１のステップに戻るものである。このように、火傷の可能性が低い低温あるいは中温出湯の場合は、表示部１８のオフ状態を継続して警報も発しないこととなり、不要な警報を行わず表示部１８のオフ状態を継続して省電力を促進できる。
【００２３】
このように、表示部１８をオフ状態としていても高温出湯の時には表示部１８をオン状態とすると共に警報音を発してユーザーの注意を喚起することができるので、表示部１８をオフ状態としても安心であり、表示部１８の消灯による省電力を促進することができる。
【００２４】
次に、他の一実施形態について説明する。なお先の一実施形態と同一ものには同一の符号を付してその説明を省略する。
ここで高温判定部１６は、温度検出器１１の出力を監視して実際の給湯温度が火傷の可能性のある所定の温度以上（およそ６０℃以上）の高温になったことを検出すると高温であると判定するものである。
【００２５】
この他の一実施形態の給湯装置の作動を図３のフローチャートに基づいて説明する。
先ず、前記表示オフ手段２１によってリモコン装置１４の表示部１８の電源が遮断されていてオフ状態（消灯状態）になっているかを確認する（Ｓ１１）。
【００２６】
表示部１８がオフ状態である時に、ユーザー等によって前記混合給湯栓１０が開かれて前記給湯検出器１２で給湯が開始されたことを検出すると（Ｓ１２）、前記高温判定部１６にて温度検出器１１で検出する実際の給湯温度が火傷の可能性のある所定の温度以上（およそ６０℃以上）の高温になったかどうかを判定する（Ｓ１３）。
【００２７】
高温判定部１６が温度検出器１１で検出する実際の給湯温度が高温なっていると判定すると（Ｓ１３でＹ）、リモコン装置１４の表示部１８に電源を供給してオン状態（点灯状態）にして給湯設定温度を目視可能なように表示すると共に（Ｓ１４）、リモコン装置１４の警報部１９から例えば「ピー・ピー・ピー」といったブザー音による警報音を発して混合給湯栓１０から高温の湯が出ることを警告する（Ｓ１５）。
【００２８】
また、警報音が出力されるとほぼ同時に、前記リモコン装置１４の表示部１８では、高温警告表示部２３が一定時間点滅を行うようにしている（Ｓ１６）。
【００２９】
ここで、前記Ｓ１３のステップで高温判定部１６が温度検出器１１で検出する実際の給湯温度が火傷の可能性のある所定の温度（およそ６０℃）以下であると判定すると、前記Ｓ１１のステップに戻るものである。このように、火傷の可能性が低い低温あるいは中温出湯の場合は、表示部１８のオフ状態を継続して警報も発しないこととなり、不要な警報を行わず表示部１８のオフ状態を継続して省電力を促進できる。
【００３０】
このように、表示部１８をオフ状態としていても実際に高温の湯が出湯された時には表示部１８をオン状態とすると共に警報音を発してユーザーの注意を喚起することができるので、表示部１８をオフ状態としても安心であり、表示部１８の消灯による省電力を促進することができる。
【００３１】
なお、本発明の給湯装置は説明した一実施形態のヒートポンプ式の貯湯式給湯機に限定されるものではなく、例えば電気温水器やガスや石油の燃焼熱を熱源とした直圧式あるいは貯湯式の給湯機でもよい。
【００３２】
また、表示オフ手段２２としてスイッチの操作でオフ状態とするものを挙げたが、これに限られず、例えば従来例で示した公報に開示されるようにリモコンの操作終了から所定時間で表示オフ状態とするものでもよく、公知の技術が採用可能なものである。
【００３３】
また、警報部１９での警報音をブザー音としているが、これに限られず、例えば音声合成ＩＣを利用して「高温のお湯が出ます」や「火傷に注意してください」等の言葉による警報音としても良いものである。
【００３４】
また、高温警告表示部２３は文字による表示を点滅させて警告するようにしているが、これに限られず、例えば給湯設定温度の数字自体を点滅させて高温であることを警告するようにしても良いものである。
【００３５】
また、表示部１８は、バックライト付液晶表示、蛍光表示管などの公知の方式が採用可能で、その構成を限定するものではない。表示オフ状態は、バックライト付液晶表示の場合はバックライトのみの消灯と、液晶部も含めた消灯が考えられ、蛍光表示管の場合は駆動回路への給電停止による消灯が考えられる。どちらの場合にも、表示オフ状態はリモコン装置１４に設けられた表示という表示を全て消灯する完全な全消灯でなくとも一部の表示をオフ状態とすれば省電力を促進できるのでオフ状態の態様は特に限定されるものではない。
【００３６】
以上のように本発明によれば、表示部をオフ状態としていても火傷の可能性のある所定の温度以上の高温出湯の時には表示部をオン状態とすると共に警報音を発してユーザーの注意を喚起することができるので、不意に高温の湯が出てきて火傷してしまう心配がなく、表示部をオフ状態としても安心であり、しかも火傷の可能性のある所定の温度以下である時には表示部のオフ状態を継続するので、表示部の消灯による省電力をより促進できる。
【図面の簡単な説明】
【図１】本発明の一実施形態の概略構成図。
【図２】同一実施形態の作動を説明する図。
【図３】本発明の他の一実施形態の作動を説明する図。
【符号の説明】
９  給湯管
１１  温度検出器
１２  給湯検出器
１４  リモコン装置
１６  高温判定部
１７  温度操作部
１８  表示部
１９  警報部
２３  高温警告表示部
【図１】
0003851193.tif 000002
【図２】
0003851193.tif 000003
【図３】
0003851193.tif 000004